(57)【要約】【課題】例えばリーダライタ等の装置を別途用いることなく、カード型の端末装置のみで完結した状態で、いつでもどこでも、通常は無線を介して授受される上記表示データの内容を告知することが可能なカード型装置【解決手段】無線によりデータの授受を行う無線インターフェース２と、有線によりデータの授受を行う有線インターフェース４と、無線インターフェース２を介して授受されるデータである無線データを記憶する無線データエリア５と、を備える複合チップＤＩと、有線インターフェース４を介して無線データを無線データエリア５から読み出して出力する制御ＣＰＵ７と、出力された無線データの内容を告知するディスプレイＤと、制御ＣＰＵ７及び複合チップＤＩに駆動電力を供給する電源９と、制御ＣＰＵ７の動作を活殺するスイッチＢと、をＩＣカードＣ内に備える。【選択図】図２
2014203137.tif 000002
【特許請求の範囲】
【請求項１】
無線によりデータの授受を行う無線インターフェース手段と、有線によりデータの授受を行う有線インターフェース手段と、前記無線インターフェース手段を介して授受されるデータである無線授受データを記憶する記憶手段と、を備えるデータ授受手段と、
前記有線インターフェース手段を介して前記無線授受データを前記記憶手段から読み出して出力する読出手段と、
前記出力された無線授受データの内容を告知する告知手段と、
前記読出手段及び前記データ授受手段に駆動電力を供給する電源手段と、
前記読出手段の動作を活殺する活殺手段と、
を備えることを特徴とするカード型装置。
【請求項２】
請求項１に記載のカード型装置において、
前記告知手段は、前記出力された無線授受データの内容を表示する表示手段であることを特徴とするカード型装置。
【請求項３】
請求項１又は請求項２に記載のカード型装置において、
前記電源手段は、太陽光の照射を受けて前記駆動電力を発生させる太陽光電源手段であることを特徴とするカード型装置。
【請求項４】
請求項３に記載のカード型装置において、
前記活殺手段は、前記太陽光電源手段により発生された前記駆動電力の大きさが、前記動作が可能となる大きさ以上となったとき、当該駆動電力を前記読出手段に供給することを特徴とするカード型装置。
【請求項５】
請求項１から請求項３のいずれか一項に記載のカード型装置において、
前記活殺手段は使用者により操作されることにより前記動作を活殺する操作手段であることを特徴とするカード型装置。
【請求項６】
請求項５に記載のカード型装置において、
前記操作手段は、前記電源手段と前記読出手段との間に接続されており、前記動作を行わせるときのみ、前記駆動電力を前記読出手段に供給することを特徴とするカード型装置。
【請求項７】
請求項１から請求項６のいずれか一項に記載のカード型装置において、
少なくとも前記データ授受手段、前記読出手段及び前記告知手段は、当該カード型装置として想定される曲率が、当該データ授受手段、当該読出手段及び当該告知手段の構造上許容される曲率以下となる当該カード型装置内の位置に配置されていることを特徴とするカード型装置。
【請求項８】
無線によりデータの授受を行う無線インターフェース手段と、有線によりデータの授受を行う有線インターフェース手段と、前記無線インターフェース手段を介して授受されるデータである無線授受データを記憶する記憶手段と、を備えるデータ授受手段と、前記データ授受手段に駆動電力を供給する電源手段と、を備えるカード型装置において実行される情報処理方法であって、
前記有線インターフェース手段を介して前記無線授受データを前記記憶手段から読み出して出力する読出工程と、
前記出力された無線授受データの内容を告知する告知工程と、
前記読出工程における前記無線授受データの読み出し及び出力を活殺する活殺工程と、
を含むことを特徴とする情報処理方法。
【発明の詳細な説明】
【技術分野】
【０００１】
本発明は、カード型装置及び情報処理方法の技術分野に属し、より詳細には、例えばいわゆるＩＣ（Integrated Circuit）カード等の形状を有するカード型装置及び当該カード型装置において実行される情報処理方法の技術分野に属する。
【背景技術】
【０００２】
近年、いわゆる交通系ＩＣカード等、一枚のカード型の筐体にＩＣチップ等を搭載した端末装置が広く一般化している。このようなカード型の端末装置についての従来技術を開示した文献として、例えば下記特許文献１が挙げられる。
【０００３】
この特許文献１には、表示用のディスプレイと制御用のＩＣチップ及び通信インターフェースを備えたカード型の端末装置が開示されている。当該端末装置では、外部のリーダライタに当該端末装置を翳すことにより、上記通信インターフェースを介して表示データを受信してディスプレイに表示する構成とされている。
【先行技術文献】
【特許文献】
【０００４】
【特許文献１】特許第４８１９９５８号公報
【発明の概要】
【発明が解決しようとする課題】
【０００５】
しかしながら、上記特許文献１に開示されている技術では、上記リーダライタに端末装置を翳すことによってのみ、表示データの授受を行ってその表示を行う構成とされている。よって、当該リーダライタのない場合では、表示データの内容を確認することができず、汎用性に乏しく不便であるという問題点があった。
【０００６】
そこで、本発明は上記の問題点に鑑みて為されたもので、その課題は、例えばリーダライタ等の装置を別途用いることなく、カード型の端末装置のみで完結した状態で、いつでもどこでも、通常は無線を介して授受される上記表示データの内容を告知することが可能なカード型装置及び当該カード型装置で実行される情報処理方法を提供することにある。
【課題を解決するための手段】
【０００７】
上記の課題を解決するために、請求項１に記載の発明は、無線によりデータの授受を行う無線インターフェース等の無線インターフェース手段と、有線によりデータの授受を行う有線インターフェース等の有線インターフェース手段と、前記無線インターフェース手段を介して授受されるデータである無線授受データを記憶する無線データエリア等の記憶手段と、を備える複合チップ等のデータ授受手段と、前記有線インターフェース手段を介して前記無線授受データを前記記憶手段から読み出して出力する制御ＣＰＵ等の読出手段と、前記出力された無線授受データの内容を告知するディスプレイ等の告知手段と、前記読出手段及び前記データ授受手段に駆動電力を供給する電源等の電源手段と、前記読出手段の動作を活殺するスイッチ等の活殺手段と、を備える。
【０００８】
上記の課題を解決するために、請求項８に記載の発明は、無線によりデータの授受を行う無線インターフェース等の無線インターフェース手段と、有線によりデータの授受を行う有線インターフェース等の有線インターフェース手段と、前記無線インターフェース手段を介して授受されるデータである無線授受データを記憶する無線データエリア等の記憶手段と、を備える複合チップ等のデータ授受手段と、前記データ授受手段に駆動電力を供給する電源等の電源手段と、を備えるカード型装置において実行される情報処理方法であって、前記有線インターフェース手段を介して前記無線授受データを前記記憶手段から読み出して出力する読出工程と、前記出力された無線授受データの内容を告知する告知工程と、前記読出工程における前記無線授受データの読み出し及び出力を活殺する活殺工程と、を含む。
【０００９】
請求項１又は請求項８に記載の発明によれば、無線インターフェース手段と、有線インターフェース手段と、記憶手段と、を備えるデータ授受手段における有線インターフェース手段を介して、無線授受データを記憶手段から読み出して告知する。このとき、電源手段から必要な駆動電力を供給し、更に活殺手段により読出手段の動作を活殺する。よって、例えば無線授受データの読み書きに用いられる装置を別途用いることなく、カード型装置のみで完結した状態で、いつでもどこでも、通常は無線を介して授受される無線授受データの内容を告知することができる。
【００１０】
上記の課題を解決するために、請求項２に記載の発明は、請求項１に記載のカード型装置において、前記告知手段は、前記出力された無線授受データの内容を表示する表示手段であるように構成される。
【００１１】
請求項２に記載の発明によれば、請求項１に記載の発明の作用に加えて、無線授受データの内容を表示するので、認識しやすい態様で無線授受データの内容を告知することができる。
【００１２】
上記の課題を解決するために、請求項３に記載の発明は、請求項１又は請求項２に記載のカード型装置において、前記電源手段は、太陽光の照射を受けて前記駆動電力を発生させる太陽光電源手段であるように構成される。
【００１３】
請求項３に記載の発明によれば、請求項１又は請求項２に記載の発明の作用に加えて、電源手段が太陽光電源手段であるので、必要なときに半永久的に読出手段及びデータ授受手段を駆動させることができる。
【００１４】
上記の課題を解決するために、請求項４に記載の発明は、請求項３に記載のカード型装置において、前記活殺手段は、前記太陽光電源手段により発生された前記駆動電力の大きさが、前記動作が可能となる大きさ以上となったとき、当該駆動電力を前記読出手段に供給するように構成される。
【００１５】
請求項４に記載の発明によれば、請求項３に記載の発明の作用に加えて、太陽光電源手段により発生された駆動電力の大きさが、読出手段の動作が可能となる大きさ以上となったとき、当該駆動電力を読出手段に供給するので、自動的に読出手段を動作させて無線授受データの内容を告知させることができる。
【００１６】
上記の課題を解決するために、請求項５に記載の発明は、請求項１から請求項３のいずれか一項に記載のカード型装置において、前記活殺手段は使用者により操作されることにより前記動作を活殺するスイッチ等の操作手段であるように構成される。
【００１７】
請求項５に記載の発明によれば、請求項１から請求項３のいずれか一項に記載の発明の作用に加えて、活殺手段が、使用者により操作されることにより読出手段の動作を活殺する操作手段であるので、使用者の意思に基づいて必要な無線授受データの内容を告知させることができる。
【００１８】
上記の課題を解決するために、請求項６に記載の発明は、請求項５に記載のカード型装置において、前記操作手段は、前記電源手段と前記読出手段との間に接続されており、前記動作を行わせるときのみ、前記駆動電力を前記読出手段に供給するように構成される。
【００１９】
請求項６に記載の発明によれば、請求項５に記載の発明の作用に加えて、操作手段が電源手段と読出手段との間に接続されており、読出手段の動作を行わせるときのみ、電源手段からの駆動電力を読出手段に供給するので、電源手段からの駆動電力を節約できることで、長期間動作可能なカード型装置を実現することができる。
【００２０】
上記の課題を解決するために、請求項７に記載の発明は、請求項１から請求項６のいずれか一項に記載のカード型装置において、少なくとも前記データ授受手段、前記読出手段及び前記告知手段は、当該カード型装置として想定される曲率が、当該データ授受手段、当該読出手段及び当該告知手段の構造上許容される曲率以下となる当該カード型装置内の位置に配置されている。
【００２１】
請求項７に記載の発明によれば、請求項１から請求項６のいずれか一項に記載の発明の作用に加えて、少なくともデータ授受手段、読出手段及び告知手段が、カード型装置として想定される曲率が、データ授受手段、読出手段及び告知手段の構造上許容される曲率以下となる位置に配置されているので、破損することなくカード型装置としての機能を発揮させることができる。
【発明の効果】
【００２２】
本発明によれば、無線インターフェース手段と、有線インターフェース手段と、記憶手段と、を備えるデータ授受手段における有線インターフェース手段を介して、無線授受データを記憶手段から読み出して告知する。このとき、電源手段から必要な駆動電力を供給し、更に活殺手段により読出手段の動作を活殺する。
【００２３】
従って、例えば無線授受データの読み書きに用いられる装置を別途用いることなく、カード型装置のみで完結した状態で、いつでもどこでも、通常は無線を介して授受される無線授受データの内容を告知することができる。
【図面の簡単な説明】
【００２４】
【図１】第１実施形態に係るＩＣカードの外観等を示す正面図である。
【図２】第１実施形態に係るＩＣカードの概要構成を示すブロック図である。
【図３】第１実施形態に係るＩＣカードにおける表示制御動作を示すフローチャートであり、（ａ）は第１例を示すフローチャートであり、（ｂ）は第２例を示すフローチャートである。
【図４】第１実施形態に係るＩＣカードにおける表示制御動作の第３例を示すフローチャートである。
【図５】第２実施形態に係るＩＣカードの概要構成を示すブロック図等であり、（ａ）は当該ブロック図であり、（ｂ）は第２実施形態に係るＩＣカードにおける表示制御動作を示すフローチャートである。
【発明を実施するための形態】
【００２５】
次に、本発明を実施するための形態について、図面に基づいて説明する。なお以下に説明する各実施形態は、いわゆる交通系カードとして用いられるＩＣカードに対して本発明を適用した場合の実施の形態である。
【００２６】
（Ｉ）第１実施形態
始めに、本発明に係る第１実施形態について、図１乃至図４を用いて説明する。なお、図１は第１実施形態に係るＩＣカードの外観等を示す正面図であり、図２は当該ＩＣカードの概要構成を示すブロック図である。更に図３及び図４は、第１実施形態に係るＩＣカードにおける表示制御動作を示すフローチャートである。なお図１に示す正面図では、外観から視認できる部材は実線で示し、第１実施形態に係るＩＣカード内に埋め込まれていることで外観からは視認できない部材は破線で示している。
【００２７】
図１及び図２に示すように、本発明に係る「カード型装置」の一例に相当する第１実施形態に係るＩＣカードＣは、全体としてはクレジットカード型のＩＣカードであり、携帯可能なＩＣカードとして構成されている。そして、アンテナＡを備える外部のリーダライタＲＷとの間で、所定周波数の無線を用いたデータの授受が可能とされている。
【００２８】
この第１実施形態に係るＩＣカードＣは、外観上は図１に示すように、その正面に、後述するディスプレイＤと、例えば押下可能なボタンとして構成されるスイッチＢと、が備えられている。このときディスプレイＤ及びスイッチＢは、ＩＣカードＣとして想定される曲率が、ディスプレイＤ及びスイッチＢの機能又は構造上許容される曲率以下となる位置（例えばＩＣカードＣの中央部又は二つの中心線のいずれからも離れた位置）に配置されている。また実施形態に係るＩＣカードＣの内部には、図１に示すように、後述する複合チップＤＩと、アンテナ１と、制御ＣＰＵ７と、上記ディスプレイＤを駆動して必要な表示をさせるための表示駆動部８と、電源９と、が埋め込まれている。
【００２９】
次に、実施形態に係るＩＣカードＣの構成及びそれによる表示制御動作を、図１を参照しつつ、機能的なブロック図である図２を用いて説明する。
【００３０】
図２に示すように、実施形態に係るＩＣカードＣは、リーダライタＲＷとの間でアンテナＡを介したデータの授受を行うためのアンテナ１に接続された複合チップＤＩと、制御ＣＰＵ７と、表示駆動部８と、例えば液晶ディスプレイ又はいわゆる電子ペーパー等の表示デバイスからなるディスプレイＤと、一次電池又は二次電池からなる電源９と、スイッチＢと、により構成されている。このときアンテナ１は、例えば図１に例示するように、ＩＣカードＣの周縁部にコイル状に配置されている。
【００３１】
また複合チップＤＩは、アンテナ１に接続された無線インターフェース２と、複合チップＤＩの外部端子を介して制御部ＣＰＵ７に接続された有線インターフェース４と、不揮発性の記憶素子からなるメモリＭと、無線インターフェース２及び有線インターフェース４を介したデータの授受を統括的に制御するＣＰＵ３と、により構成されている。更にメモリＭは、ＣＰＵ３の制御の下、無線インターフェース２及びアンテナ１を介してリーダライタＲＷとの間で授受されるデータである無線データが記憶される無線データエリア５と、ＣＰＵ３の制御の下、有線インターフェース４を介して授受されるデータである有線データが記憶される有線データエリア６と、により構成されている。
【００３２】
このとき、上記無線インターフェース２が本発明に係る「無線インターフェース手段」の一例に相当し、上記有線インターフェース４が本発明に係る「有線インターフェース手段」の一例に相当する。また上記無線データエリア５が本発明に係る「記憶手段」の一例に相当し、複合チップＤＩが本発明に係る「データ授受手段」の一例に相当する。更に制御ＣＰＵ７が本発明に係る「読出手段」の一例に相当し、ディスプレイＤが本発明に係る「告知手段」の一例に相当し、電源９が本発明に係る「電源手段」の一例に相当し、スイッチＢが本発明に係る「活殺手段」の一例及び「操作手段」の一例に、それぞれ相当する。
【００３３】
以上の構成において複合チップＤＩのＣＰＵ３は、無線インターフェース２及びアンテナ１を介して、リーダライタＲＷとの間で必要な無線データの授受を行う。このときの無線データには、例えばＩＣカードＣを用いて使用できる電子マネーの残高や、或いは交通系ＩＣカードとしてＩＣカードＣが用いられる場合における乗り越し精算額を示すデータ等が含まれている。これらの無線データは、必要に応じて無線データエリア５に不揮発性に記憶され、その後のリーダライタＲＷとの間の授受に供される。
【００３４】
またＣＰＵ３は、有線インターフェース４及び上記外部端子を介して制御ＣＰＵ７との間で有線データ及び複合チップＤＩの動作に必要な駆動電力の授受等を行う。この有線データには、例えば所定のデータ及びクロック信号等が含まれており、必要に応じて有線データエリア６に不揮発性に記憶され、その後の上記外部端子を介した制御ＣＰＵ７との間の授受に供される。
【００３５】
一方制御ＣＰＵ７は、スイッチＢにおける使用者の操作に基づき、有線インターフェース４を介してＣＰＵ３及びメモリＭを制御し、無線データエリア５に不揮発性に記憶されている上記無線データを当該無線データエリア５からＣＰＵ３及び有線インターフェース４を介して読み出し、当該読み出した無線データを表示駆動部８に出力する。これにより表示駆動部８は、制御ＣＰＵ７から出力されてきた無線データをディスプレイＤに出力し、ディスプレイＤはその内容を表示する。なおこれら制御ＣＰＵ７、表示駆動部８及びディスプレイＤによる一連の動作の駆動電力も、電源９から供給される。
【００３６】
次に、上述した第１実施形態に係るＩＣカードＣとしての一連の表示制御動作について、具体的に図３及び図４を用いて説明する。なお図３では、ディスプレイＤが、例えば液晶ディスプレイ等のいわゆるメモリ性がない表示デバイスにより構成されている場合における表示制御動作を図３（ａ）に示している。これに対し、ディスプレイＤが、例えばいわゆる電子ペーパー等のメモリ性を有する表示デバイスにより構成されている場合における表示制御動作は、図３（ｂ）及び図４に示されている。なお以下の説明において、第１実施形態に係るＩＣカードＣとしての一連の表示制御動作を、単に「第１実施形態に係る表示制御動作」と称する。
【００３７】
即ち、上記メモリ性がない表示デバイスによりディスプレイＤが構成されている場合、図３（ａ）に示すように、第１実施形態に係る表示制御動作として制御ＣＰＵ７は、電源９から供給される駆動電力を用いて、スイッチＢが使用者により押下されたか否かの監視動作のみを行っている（ステップＳ１）。ステップＳ１の監視動作においてスイッチＢが押下されない場合（ステップＳ１；ＮＯ）、制御部ＣＰＵ７は第１実施形態に係る表示制御動作を終了する。一方ステップＳ１の監視動作においてスイッチＢが押下された場合（ステップＳ１；ＹＥＳ）、制御部ＣＰＵ７は通常の手順に沿って起動し（ステップＳ２）、複合チップＤＩ内のＣＰＵ３に有線インターフェース４を介してアクセスし（ステップＳ３）、メモリＭの無線データエリア５に記憶されている無線データを読み出して取得する（ステップＳ４）。
【００３８】
次に制御ＣＰＵ７は、取得した無線データを、表示駆動部８を介してディスプレイＤに表示させ（ステップＳ５）、更に図示しないタイマによる計時を開始する（ステップＳ６）。その後制御ＣＰＵ７は、無線データの内容をディスプレイＤにおいて表示する時間として予め設定された時間（例えば数秒乃至十数秒程度）が経過したか否かを判定する（ステップＳ７）。ステップＳ７の判定において、当該既定時間が経過していない場合（ステップＳ７；ＮＯ）、制御ＣＰＵ７はディスプレイＤにおける無線データの内容の表示を継続させつつ上記計時を継続する（ステップＳ８）。一方ステップＳ７の判定において、当該既定時間が経過した場合（ステップＳ７；ＹＥＳ）、制御ＣＰＵ７は、表示駆動部８を介してディスプレイＤ上の表示をオフとさせ（ステップＳ９）、その後制御ＣＰＵ７自体をスリープ状態とした上で（ステップＳ１０）、上記ステップＳ１に戻ってスイッチＢの押下の有無を開始する。
【００３９】
次に、ディスプレイＤが上記メモリ性を有する表示デバイスにより構成されている場合の第１実施形態に係る表示制御動作について、図３（ｂ）及び図４を用いて説明する。なお図３（ｂ）及び図４において、図３（ａ）に示した表示制御動作と同一の動作については、同一のステップ番号を付して細部の説明は省略する。また図４において、図３（ｂ）に示した表示制御動作と同一の動作については、同一のステップ番号を付して細部の説明は省略する。
【００４０】
図３（ｂ）に示すように、上記メモリ性を有する表示デバイスによりディスプレイＤが構成されている場合の第１実施形態に係る表示制御動作として制御ＣＰＵ７は、先ず図３（ａ）に示した表示制御動作におけるステップＳ１乃至ステップＳ８の動作と同一の動作をそれぞれ行う。その後制御ＣＰＵ７は、図３（ａ）に示した表示制御動作におけるステップＳ９の動作に代えて、メモリ性を有するディスプレイＤにおいて実行されている表示を消去する動作を、表示駆動部８を介して明示的に行わせる（ステップＳ１５）。その後制御ＣＰＵ７は、図３（ａ）に示した表示制御動作におけるステップＳ１０の動作と同一の動作を行う。
【００４１】
次に、図４を用いて、上記メモリ性を有する表示デバイスによりディスプレイＤが構成されている場合の第１実施形態に係る表示制御動作の他の例を説明する。即ち図４に示すように、上記メモリ性を有する表示デバイスによりディスプレイＤが構成されている場合の第１実施形態に係る表示制御動作の他の例として制御ＣＰＵ７は、先ず図３（ａ）に示した表示制御動作におけるステップＳ１乃至ステップＳ５の動作と同一の動作をそれぞれ行う。その後制御ＣＰＵ７は、図３（ａ）に示した表示制御動作におけるステップＳ６乃至ステップＳ８の動作に代えて、制御ＣＰＵ７自体を一旦スリープ状態とし（ステップＳ２０）、その後再度スイッチＢが使用者により押下されたか否かの監視動作を行う（ステップＳ２１）。ステップＳ２１の監視動作においてスイッチＢが押下されない場合（ステップＳ２１；ＮＯ）、制御部ＣＰＵ７は第１実施形態に係る表示制御動作を終了する。一方ステップＳ２１の監視動作においてスイッチＢが押下された場合（ステップＳ２１；ＹＥＳ）、制御部ＣＰＵ７は通常の手順に沿って再度起動し（ステップＳ２２）、その後制御ＣＰＵ７は図３（ｂ）に示した表示制御動作におけるステップＳ１５の動作と同一の動作を行い、その後、図３（ａ）に示した表示制御動作におけるステップＳ１０の動作と同一の動作を行う。
【００４２】
以上、図４を用いて説明した表示制御動作によっても、上記メモリ性を有する表示デバイスによりディスプレイＤが構成されている場合において、その表示を明示的に消去させることができる。
【００４３】
以上それぞれ説明したように、第１実施形態に係る表示制御動作によれば、無線インターフェース２と、有線インターフェース４と、無線データエリア５を含むメモリＭと、を備える複合チップＤＩにおける有線インターフェース４を介して、無線データを無線データエリア５から読み出してディスプレイＤに表示する。このとき、電源９からは必要な駆動電力を供給し、更にスイッチＢの操作により制御ＣＰＵ７の動作を活殺する。よって、例えば無線データの読み書きに用いられるリーダライタＲＷ等を別途用いることなく、ＩＣカードＣのみで完結した状態で、いつでもどこでも、通常は無線を介して授受される無線データの内容を表示することができる。
【００４４】
また、ディスプレイＤを用いて無線データの内容を表示するので、認識しやすい態様で無線データの内容を告知することができる。
【００４５】
更に、使用者により操作されることにより制御ＣＰＵ７の動作を活殺するスイッチＢを備えているので、使用者の意思に基づいて必要な無線データの内容を告知させることができる。
【００４６】
なお、少なくとも複合チップＤＩ、制御ＣＰＵ７及びディスプレイＤを、図１に例示するように、ＩＣカードＣとして想定される曲率が複合チップＤＩ等の機能又は構造上許容される曲率以下となる位置に配置すれば、これらを破損することなくＩＣカードＣとしての機能を発揮させることができる。
【００４７】
（II）第２実施形態
次に、本発明に係る他の実施形態である第２実施形態について、図５を用いて説明する。なお図５は、第２実施形態に係るＩＣカードの概要構成を示すブロック図等である。また、第２実施形態に係るＩＣカードの基本的な構成及び表示制動作は、以下に説明するスイッチＢＢに係る部分以外は、基本的には第１実施形態に係るＩＣカードＣの基本的な構成及び表示制動作と同一である。よって以下の説明では、第１実施形態に係るＩＣカードＣと同一の部材の部材については同一の部材番号を用い、第１実施形態に係る表示制御動作と同一の動作については同一のステップ番号を用いて、それぞれ説明する。
【００４８】
上述した第１実施形態に係るＩＣカードＣでは、図２に示すように、スイッチＢと電源９とが独立した構成とされていた。これに対して以下に説明する第２実施形態に係るＩＣカードでは、図２に示すスイッチＢに代えて、接続位置が異なるスイッチを用いる。
【００４９】
即ち図５（ａ）に示すように、第２実施形態に係るＩＣカードＣＣでは、第１実施形態に係るＩＣカードＣにおけるスイッチＢに代えて、電源９と制御ＣＰＵ７との間に接続され、当該電源９から制御ＣＰＵ７への駆動電力を直接的に活殺するスイッチＢＢを備えている。このスイッチＢＢは、第１実施形態に係るスイッチＢと同様に、例えば押下可能なボタンとして構成される。
【００５０】
この構成において第２実施形態に係るＩＣカードＣＣにおける表示制御動作としては、例えば上記図３（ａ）に示すフローチャートを用いて説明した場合に準じて説明すると、初めに第２実施形態に係るスイッチＢＢが押下されると（ステップＳ２５）、制御ＣＰＵ７への駆動電力の供給が開始され、これによって制御ＣＰＵ７自体が駆動する（ステップＳ２）。その後制御ＣＰＵ７は、図３（ａ）に示した表示制御動作におけるステップＳ２乃至ステップＳ１０の動作と同一の動作をそれぞれ行い、第２実施形態に係るＩＣカードＣＣにおける表示制御動作を終了する。
【００５１】
以上説明したように、第２実施形態に係るＩＣカードＣＣにおける表示制御動作によれば、第１実施形態に係る表示制御動作による作用効果に加えて、スイッチＢＢが電源９と制御ＣＰＵ７との間に接続されており、制御ＣＰＵ７の動作を行わせるときのみ、電源９からの駆動電力を制御ＣＰＵ７に供給するので、電源９からの駆動電力を節約できることで、長期間動作可能なＩＣカードＣＣを実現することができる。
【００５２】
（III）変形形態
次に、本発明に係る変形形態について複数説明する。
【００５３】
まず第１変形形態として、上述してきた各実施形態では、電源９としては一次電池又は二次電池をＩＣカードＣ内に備える構成としたが、これ以外に、太陽光パネルを制御ＣＰＵ７等に対する駆動電力の供給源とするように構成することもできる。この場合の太陽光パネルが本発明に係る「太陽光電源手段」の一例に相当する。
【００５４】
即ち、上記各実施形態に係る電源９に代えて、ＩＣカードの表面にその受光部を備える太陽光パネルを用い、当該受光部に太陽光が入射したときに生じる電力を、上記駆動電力として複合チップＤＩ、制御ＣＰＵ７、表示駆動部８及びディスプレイＤに供給するのである。
【００５５】
以上説明した第１変形形態によれば、制御ＣＰＵ７等への駆動電力の供給源が太陽光パネルであるので、例えば第１変形形態に係るＩＣカードを取り出して太陽光が当たる位置に置いた場合等、必要なときに半永久的に制御ＣＰＵ７等を駆動させることができる。
【００５６】
次に第２変形形態として、上記第１変形形態の構成の場合において、上記各実施形態に係るスイッチＢ又はスイッチＢＢを設けることなく、上記太陽光パネルを直接制御ＣＰＵ７及び複合チップＤＩ等に直接接続するように構成することもできる。この場合は、太陽光パネルにおいて生じた電力における電圧又は電流が、制御ＣＰＵ７及び複合チップＤＩ等が起動可能な電圧又は電流となったときに制御ＣＰＵ７及び複合チップＤＩ等が起動して上記各表示制御動作が実行されるように構成することが好ましい。
【００５７】
以上説明した第２変形形態によれば、太陽光パネルにより発生された電力の大きさ（例えば電圧）が、制御ＣＰＵ７及び複合チップＤＩ等が起動可能となる大きさ（電圧）以上となったとき、その駆動電力を制御ＣＰＵ７及び複合チップＤＩ等に供給することとなるので、太陽光パネルの受光部に太陽光が入射することにより自動的に制御ＣＰＵ７及び複合チップＤＩ等を動作させて、無線データの内容を告知させることができる。
【００５８】
更に他の変形形態として、図３又は図５（ｂ）において説明したステップＳ７及びステップＳ８の動作における既定時間を、例えば外部からの操作に変更するように構成することも可能である。
【００５９】
また、上述してきた各実施形態及び変形形態では、ディスプレイＤを用いて無線データの内容を表示する場合について説明したが、これ以外に、例えば電子マネーの残高が予め設定された閾値以下となったときに発光ダイオード等の点滅によりそのことを告知するように構成してもよい。或いは、小型のスピーカをＩＣカード内に備えさせ、これから放音される音により残高等を告知させるように構成することもできる。
【００６０】
更に本発明は、上述してきた交通系ＩＣカードに限らず、無線インターフェースと有線インターフェースとを備える複合チップが埋め込まれたＩＣカードに対して広く適用することが可能である。
【産業上の利用可能性】
【００６１】
以上それぞれ説明したように、本発明はカード型の端末装置の分野に利用することが可能であり、特に無線／有線二種類のインターフェースを備えるカード型の端末装置の分野に適用すれば特に顕著な効果が得られる。
【符号の説明】
【００６２】
１    アンテナ
２    無線インターフェース
３    ＣＰＵ
４    有線インターフェース
５    無線データエリア
６    有線データエリア
７    制御ＣＰＵ
８    表示駆動部
９    電源
Ｃ、ＣＣ    ＩＣカード
Ｍ    メモリ
Ａ    アンテナ
ＲＷ    リーダライタ
Ｄ    ディスプレイ
Ｂ、ＢＢ    スイッチ
ＤＩ    複合チップ
【図１】
2014203137.tif 000003
【図２】
2014203137.tif 000004
【図３】
2014203137.tif 000005
【図４】
2014203137.tif 000006
【図５】
2014203137.tif 000007